(57)【要約】      （修正有）【課題】従来品と同様に電線を保護することはもちろん、暗所や夜間等の暗闇の中でもその存在や位置の確認を容易なものとし、歩行者がつまずくようなことはなく、車などで走行中に不用意に乗り上げたりすることのない線材および表示灯保護具を提供する。【解決手段】帯状に形成されると共に透光性を有した弾性変形可能な本体１の内部に、表示灯２および線材Ｌの収納孔部をそれぞれ長手方向に設けたものとしている。【選択図】図１
0003201850.tif 000002
【実用新案登録請求の範囲】
【請求項１】
帯状に形成されると共に透光性を有した弾性変形可能な本体（１）の内部に、表示灯（２）および線材（Ｌ）の収納孔部（３）をそれぞれ長手方向に設けたものとしていることを特徴とする線材および表示灯保護具。
【請求項２】
前記本体（１）は、縦断面を山形状としており、軟質合成樹脂または合成ゴムからなることを特徴とする請求項１記載の線材および表示灯保護具。
【請求項３】
前記本体（１）の底面（１ａ）側に、前記収納孔部（３）に連通するスリット部（４）を設けたことを特徴とする請求項１又は２に記載の線材および表示灯保護具。
【請求項４】
前記本体（１）の底面（１ａ）側に、前記収納孔部（３）に向かって、切断または破断することにより前記収納孔部（３）に連通するスリット部（４）が形成されるようにした弱め部（５）を設けたことを特徴とする請求項１〜３の何れかに記載の線材および表示灯保護具。
【請求項５】
前記表示灯（２）は、発光ダイオードからなるものとしていることを特徴とする請求項１〜４の何れかに記載の線材および表示灯保護具。
【請求項６】
前記表示灯（２）は、点滅するものとしていることを特徴とする請求項１〜５の何れかに記載の線材および表示灯保護具。
【考案の詳細な説明】
【技術分野】
【０００１】
この考案は、オフィスや展示会場の床面、建築工事現場や道路工事現場の地面等に配される電線、ケーブル等の線材を保護すると共に、暗所や夜間に有効な注意喚起のためのランプ等の表示灯を保護するために用いられる線材および表示灯保護具に関するものである。
【背景技術】
【０００２】
従来、この種の線材保護具としては、例えば図７、８に示したように、縦断面を山形状とし帯状に形成された軟質性の本体１１に、電線、ケーブル等の線材Ｌの収納孔部１２を設けたものとし、この収納孔部１２に連通すると共に底面１１ａ側に開口するスリット部１３を設けたものとしており、前記収納孔部１２を、中央の一本を大径とし、その両側に小径として、複数本設けたものが存在する（特許文献１）。
【０００３】
このように構成された従来の線材保護具は、合成ゴムや軟質合成樹脂で作製されているため、床面や地面等に敷設した場合、車や人が通過しても、収納物に対して衝撃を緩和でき、各収納部が複数個あるため、電線を1 本ずつ入れることで電線間の短絡等の心配がなく、かつ山型のため、人がつまずきにくいという特徴を有している。
【先行技術文献】
【特許文献】
【０００４】
【特許文献１】登録実用新案第３０１１９９３号公報
【考案の概要】
【考案が解決しようとする課題】
【０００５】
しかしながら、上記従来の線材保護具は、軟質性の本体１１が不透明の合成ゴムや軟質合成樹脂で作製されており、しかもほとんどが黒色や灰色等の目立ちにくい色のため、暗所や夜間等の暗闇の中では、その存在や位置を確認することが困難であり、歩行者がつまずいて危険であったり、車などで走行中に不用意に乗り上げたりして不快感等を覚えたりするようなことがあるという課題を有していた。
【０００６】
そこで、この考案は、上記従来の線材保護具が有する課題を解決することを目的としており、従来品と同様に電線を保護することはもちろん、暗所や夜間等の暗闇の中でもその存在や位置の確認を容易なものとし、歩行者がつまずくようなことはなく、車などで走行中に不用意に乗り上げたりすることのない線材および表示灯保護具を提供することを目的としてなされたものである。
【課題を解決するための手段】
【０００７】
そのため、この考案の線材および表示灯保護具は、帯状に形成されると共に透光性を有した弾性変形可能な本体１の内部に、表示灯２および線材Ｌの収納孔部３をそれぞれ長手方向に設けたものとしている。
【０００８】
この考案の線材および表示灯保護具において、前記本体１は、縦断面を山形状としており、軟質合成樹脂または合成ゴムからなるものとしている。
【０００９】
この考案の線材および表示灯保護具において、前記本体１の底面１ａ側に、前記収納孔部３に連通するスリット部４を設けたものとしている。
【００１０】
この考案の線材および表示灯配線保護具において、前記本体１の底面１ａ側に、前記収納孔部３に向かって、切断または破断することにより前記収納孔部３に連通するスリット部４が形成されるようにした弱め部５を設けたものとしている。
【００１１】
この考案の線材および表示灯保護具において、前記表示灯２は、発光ダイオードからなるものとしている。
【００１２】
この考案の線材および表示灯保護具において、前記表示灯２は、点滅するものとしている。
【考案の効果】
【００１３】
この考案の線材および表示灯保護具は、以上に述べたように構成されているので、従来品と同様に電線を保護することはもちろん、暗所や夜間等の暗闇においても、表示灯２の灯光により、その保護具の存在や位置を確認することができるので、歩行中につまずくようなことはなく安全であり、車などで走行中にも不用意に乗り上げたりすることなく、不快感を覚えたりするようなこともなくなる。
【００１４】
さらに、この考案の線材および表示灯保護具は、表示灯２を点滅させることによって注意を引きやすいものとして、その保護具の存在や位置をより確認し易くしたり、本体１の一端から他端に向かって表示灯２を順に点滅させていくことにより、誘導灯としての役目を果たすこともできる。
【００１５】
また、この考案の線材および表示灯保護具は、表示灯２として光を演出する装飾灯を用いることにより、従来、不可能であった床面や地面等にもイルミネーションを施すことができる。
【図面の簡単な説明】
【００１６】
【図１】この考案の線材および表示灯保護具の一実施形態を示す平面図である。
【図２】図１に示すこの考案の線材および表示灯保護具の本体の一端部を示す斜視図である。
【図３】図１中のＡ−Ａ線におけるこの考案の線材および表示灯保護具の拡大断面図である。
【図４】この考案の線材および表示灯保護具の他の実施形態の本体の一端部を示す斜視図である。
【図５】図４に示すこの考案の線材および表示灯保護具の拡大断面図である。
【図６】図１及び図４に示すこの考案の線材および表示灯保護具の収納孔部に表示灯及び線材を収納している状態を示す説明図である。
【図７】従来の線材保護具の一例を示す平面図である。
【図８】図７に示す従来の線材配線保護具の拡大断面図である。
【考案を実施するための形態】
【００１７】
以下、この考案の線材および表示灯保護具を実施するための形態を、図面に基づいて詳細に説明する。
【００１８】
この考案の線材および表示灯保護具は、帯状に形成されると共に透光性を有した弾性変形可能な本体１の内部に、表示灯２および線材Ｌの収納孔部３をそれぞれ長手方向に設けたものとしている。
【００１９】
本体１は、透光性を有した弾性変形可能な材料、例えば軟質塩化ビニル等の合成樹脂や合成ゴムなどを押し出し成形したものとしており、図示したように、縦断面を円弧状の低い山形状として帯状に形成したものとしている。さらに、前記本体１は、図示していないが、縦断面を三角状の低い山形状としたり、縦断面を台形状の低い山形状などとすることができる。このようにすると、床面や地面に敷いた場合に、人が踏んだり、車が乗り上げたりしても、引っ掛かりにくく、乗り越え易いものなる。
【００２０】
表示灯２は、発光ダイオードＤを用いたものとしており、複数個の発光ダイオードＤを適宜間隔をおいて、透過性の軟質樹脂チューブＴの中で電線Ｗにより電気接続したものとしており、前記収納孔部３の長手方向に配設される。さらに、電線ＷにはスイッチＳやアダプターＡを介在させて、先端にプラグＰを取り付けている。前記発光ダイオードＤは、点滅式のものにするのが好ましいが、非点滅式のものにしてもよい。発光ダイオードＤを点滅式のものにすれば、歩行者や車の運転手により注意を引き易いものとなる。なお、前記表示灯２としては、白熱灯や蛍光灯を用いたものとしてもよく、またケミカルライト等スティック状ライトやチューブライトなどを用いたものとしてもよい。
【００２１】
収納孔部３は、図２に示したものは、縦断面を円形としているが、必要に応じて楕円形、長円形、四角形、三角形などとすることもできる。そして、前記収納孔部３は、本体１の中央部または中央部以外に、前記表示灯２用のもの、及び線材Ｌ用のものを少なくとも一つ設けておればよいが、多数本の線材Ｌを敷設する場合など必要に応じて、図示したように中央部に設けたものの両側に一つまたは複数設けたものとすることができる。
【００２２】
さらに、この考案の線材および表示灯保護具は、図２に示したように、前記本体１の底面１ａ側に、前記収納孔部３に連通するスリット部４を設けたものとすることができる。
【００２３】
また、この考案の線材および表示灯保護具は、図４に示したように、前記本体１の底面１ａ側に、前記収納孔部３に向かって、切断または破断することにより前記収納孔部３に連通するスリット部４が形成されるようにした弱め部５を設けたものとすることもできる。
【００２４】
なお、この考案の線材および表示灯保護具は、図示していないが、前記本体１の底面１ａに両面接着テープを取り付けておくこともできる。この両面接着テープによって、床面等に貼り付けることにより、本体１を床面等から浮き上がらないようにしておくことができる。
【００２５】
以上のようにしたこの考案の線材および表示灯保護具は、前記収納孔部３の前端または後端から表示灯２や線材Ｌを直接差し込むことによって収納し、地面や床面などに敷設すればよい。
【００２６】
さらに、この考案の線材および表示灯保護具は、前記スリット部４を設けたものとした場合には、図６に示したように、本体１の底面１ａを反らせることによりスリット部４を広げて、このスリット部４から収納孔部３に表示灯２や線材Ｌを収納し、図３に示したように、本体１を元の状態に戻してから、地面や床面などに敷設すればよい。
【００２７】
また、この考案の線材および表示灯保護具は、前記弱め部５を設けたものとした場合には、この弱め部５をカッターナイフなどで切断したり、マイナスドライバーなどで引き破ったりしてスリット部４を形成し、図示したように、本体１の底面１ａを反らせることによりスリット部４を広げて、このスリット部４から収納孔部３に表示灯２や線材Ｌを収納し、本体１を元の状態に戻してから、地面や床面などに敷設すればよい。なお、前記弱め部５を設けたものでは、収納孔部３に表示灯２や線材Ｌを収納する場合に、この弱め部５を切断したり、引き破ったりしないでも、収納孔部３の前端または後端から表示灯２や線材Ｌを直接差し込むことによって収納することができる。
【００２８】
そして、この考案の線材および表示灯保護具は、照明下や昼間等の明るいときには、表示灯２を点灯したり点滅させることなく、そのままの状態で用い、暗所や夜間等の暗闇においては、表示灯２を点灯したり点滅させればよい。
【００２９】
この考案の線材および表示灯保護具は、以上に述べたように構成されているので、従来品と同様に電線を保護することはもちろん、暗所や夜間等の暗闇においても、表示灯２の灯光により、その保護具の存在や位置を確認することができる。
【００３０】
さらに、この考案の線材および表示灯保護具は、表示灯２を点滅させることによって注意を引きやすいものとして、その保護具の存在や位置をより確認し易くしたりすることができ、また誘導灯としての役目を果たしたり、床面や地面等にイルミネーションを施すこともできる。
【符号の説明】
【００３１】
１  本体
１ａ  底面
２  表示灯
３  収納孔部
４  スリット部
５  弱め部
Ｌ  線材
【図１】
0003201850.tif 000003
【図２】
0003201850.tif 000004
【図３】
0003201850.tif 000005
【図４】
0003201850.tif 000006
【図５】
0003201850.tif 000007
【図６】
0003201850.tif 000008
【図７】
0003201850.tif 000009
【図８】
0003201850.tif 000010